(57)【要約】      （修正有）【課題】菓子にわずかな衝撃しか与えず、かつ、適用可能な形状範囲が広い、菓子の表裏矯正する方法および矯正装置を提供する。【解決手段】第一コンベア２と協働して第一コンベア２上を流れてきた菓子１を表裏選別する、第一コンベア２と逆方向に回転する表面が柔軟なロール３と；第一コンベア２と表面が柔軟なロール３によって表裏選別され、平らな面を上にした菓子１を順送する第二コンベア４と；第二コンベア４の後端部を取り巻くように配置され、菓子１を反転させながら下方へ導く凹湾曲面を有する第二シュート６と；第一コンベア２の後端部に近接して配置され、第一コンベア２と表面が柔軟なロール３によって表裏選別されて平らな面を下にした菓子１を下方へ導く第一シュート５と；第一コンベア２と表面が柔軟なロール３によって表裏選別された菓子１が、第一シュート５と第二シュート６を経て再合流して順送される第三コンベア７からなる。【選択図】  図１
2004350560.tif 000002
【特許請求の範囲】
【請求項１】
菓子を横方向多列に順送する第一コンベアと；
第一コンベアの後端部に近接して配置され、第一コンベアと協働して第一コンベア上を流れてきた菓子を表裏選別する、第一コンベアと逆方向に回転する表面が柔軟なロールと；
第一コンベアと表面が柔軟なロールによって表裏選別され、平らな面を上にした（裏向いた）菓子を順送する第二コンベアと；
第二コンベアの後端部を取り巻くように配置され、菓子を反転させながら下方へ導く凹湾曲面を有する第二シュートと；
第一コンベアの後端部に近接して配置され、第一コンベアと表面が柔軟なロールによって表裏選別されて平らな面を下にした（表向いた）菓子を下方へ導く第一シュートと；
第一コンベアと表面が柔軟なロールによって表裏選別された菓子が、第一シュートまたは第二シュートを経て再合流して順送される第三コンベアからなる；
菓子の表裏矯正装置
【請求項２】
第一コンベアの後端部駆動ロールの回転軸と、表面が柔軟なロールの回転軸が水平に、かつ、平行に配置されている請求項１に記載の菓子の表裏矯正装置
【請求項３】
第一コンベアの後端部駆動ロールの回転軸と、表面が柔軟なロールの回転軸がともに含まれる平面が鉛直方向から４５゜傾いていることを特徴とする請求項２に記載の菓子の表裏矯正装置
【請求項４】
表面が柔軟なロールがスポンジロールであることを特徴とする請求項１〜３の何れか一項に記載の菓子の表裏矯正装置
【請求項５】
請求項１〜４の何れか一項に記載の菓子の表裏矯正装置を駆動して、第一コンベア上に表裏混在状態で多列供給された菓子を、表裏姿勢統一して第三コンベアに供給する菓子の表裏矯正方法
【請求項６】
表裏矯正が同一列内で行われることを特徴とする請求項５記載の菓子の表裏矯正方法
【発明の詳細な説明】
【０００１】
【発明の属する技術分野】
本発明は菓子の表裏矯正方法および矯正装置に関し、詳しくは菓子を効率的に、かつ、わずかな衝撃しか与えずに表裏矯正する方法および矯正装置に関するものである。
なお本発明の対象となる菓子とは、片方の面がその中心部または周辺部から外周に向かって厚みを薄くした形状を備えており、もう一方の面がほぼ平面状のものである。
【０００２】
【従来の技術】
従来の菓子の表裏矯正装置には、コンベア上に上向き下向きランダム姿勢で多列供給された半球状物を、矯正バーによって上向き姿勢にそろえて多列のまま移載できるものがあった。（例えば、特許文献１参照。）。
【０００３】
【特許文献１】
実開平１−１１１６２５号公報  （第１図  Ｄ，Ｅ）
【０００４】
【発明が解決しようとする課題】
しかしながら、このような従来の表裏矯正装置では、被矯正物に衝撃が加わる移載機構だったので、菓子に破損が生じやすかった。また被矯正物が半球状物に限られ、適用可能な形状範囲に制限が大きかった。
【０００５】
そこで本発明は菓子にわずかな衝撃しか与えず、かつ、適用可能な形状範囲が広い、菓子を表裏矯正する方法および矯正装置の提供を目的とする。
【０００６】
【課題を解決するための手段】
本発明者らは上記の課題を解決すべく鋭意研究を重ねた結果、菓子１にわずかな衝撃しか与えずに表裏矯正する方法および矯正装置を見出し、本発明を完成するにいたった。
【０００７】
すなわち本発明の第一は、例えば図１に示すように、菓子１を横方向多列に順送する第一コンベア２と；第一コンベア２の後端部に近接して配置され、第一コンベア２と協働して第一コンベア２上を流れてきた菓子１を表裏選別する、第一コンベア２と逆方向に回転する表面が柔軟なロール３と；第一コンベア２と表面が柔軟なロール３によって表裏選別され、平らな面を上にした（裏向いた）菓子１を順送する第二コンベア４と；第二コンベア４の後端部を取り巻くように配置され、菓子１を反転させながら下方へ導く凹湾曲面を有する第二シュート６と；第一コンベア２の後端部に近接して配置され、第一コンベア２と表面が柔軟なロール３によって表裏選別されて平らな面を下にした（表向いた）菓子１を下方へ導く第一シュート５と；第一コンベア２と表面が柔軟なロール３によって表裏選別された菓子１が、第一シュート５と第二シュート６を経て再合流して順送される第三コンベア７からなる；菓子１の表裏矯正装置である。
【０００８】
このように構成すると、表裏混在して第一コンベア２上を流れてきた菓子１が、第一コンベア後端部駆動ロール２’と表面が柔軟なロール３とによって表裏選別され、平らな面を下にしていた（表向いていた）菓子１は第一シュート５を経て第三コンベア７へ導かれ、平らな面を上にしていた（裏向いていた）菓子１は第二コンベア４を経て、第二シュート６において反転されて第三コンベア７に導かれ、第三コンベア７上で再合流した菓子１はすべて平らな面を下にし、かつ、菓子１の第三コンベア７上での順序は第一コンベア２上と同一となるので、菓子１にわずかな衝撃しか与えずに表裏矯正する装置を提供することができる。
【０００９】
また請求項２に記載のように、請求項１に記載の表裏矯正装置では、第一コンベア後端部駆動ロール２’の回転軸と、表面が柔軟なロール３の回転軸が水平に、かつ、平行に配置されるように構成してもよい。
【００１０】
また請求項３に記載のように、請求項２に記載の表裏矯正装置では、第一コンベア後端部駆動ロール２’の回転軸と、表面が柔軟なロール３の回転軸がともに含まれる平面が鉛直方向から４５゜傾いているように構成してもよい。
【００１１】
本発明の第二は、請求項１〜４の何れか一項に記載の菓子１の表裏矯正装置を駆動して、第一コンベア２上に表裏混在状態で多列供給された菓子１を、表向きにそろえて第三コンベア７に供給する菓子１の表裏矯正方法である。
【００１２】
このように構成すると、表裏混在して第一コンベア２上を流れてきた菓子１が、第一コンベア後端部駆動ロール２’と表面が柔軟なロール３とによって表裏選別され、平らな面を下にしていた（表向いていた）菓子１は第一シュート５を経て第三コンベア７へ導かれ、平らな面を上にしていた（裏向いていた）菓子１は第二コンベア４を経て、第二シュート６において反転されて第三コンベア７に導かれ、第三コンベア７上で再合流した菓子１はすべて平らな面を下にし、かつ、菓子１の第三コンベア７上での順序は第一コンベア２上と同一となるので、菓子１にわずかな衝撃しか与えずに表裏矯正する方法を提供することができる。
【００１３】
また請求項６に記載のように、請求項５に記載の表裏矯正方法では、表裏矯正が同一列内で行われるようにしてもよい。
【００１４】
【発明の実施の形態】
以下、図１の正面図を参照して、本発明の実施の形態に係る表裏矯正装置の構成について詳細に説明する。なお、各図においてお互いに同一あるいは相当する部材には同一符号を付し、重複した説明は省略する。
【００１５】
図１において本発明の表裏矯正装置は菓子１を横方向多列に順送する第一コンベア２と；第一コンベア２の後端部に近接して配置され、第一コンベア２と協働して第一コンベア２上を流れてきた菓子１を表裏選別する、第一コンベア２と逆方向に回転する表面が柔軟なロール３と；第一コンベア２と表面が柔軟なロール３によって表裏選別され、平らな面を上にした（裏向いた）菓子１を順送する第二コンベア４と；第二コンベア４の後端部を取り巻くように配置され、菓子１を反転させながら下方へ導く凹湾曲面を有する第二シュート６と；第一コンベア２の後端部に近接して配置され、第一コンベア２と表面が柔軟なロール３によって表裏選別されて平らな面を下にした（表向いた）菓子１を下方へ導く第一シュート５と；第一コンベア２と表面が柔軟なロール３によって表裏選別された菓子１が、第一シュート５または第二シュート６を経て再合流して順送される第三コンベア７から構成されている。
【００１６】
第一コンベア２、第二コンベア４、第三コンベア７、第一シュート５、第二シュート６、表面が柔軟なロール３はいずれも、菓子１の順送方向に垂直な方向の幅がほぼ同程度にしてあり、また、菓子１の順送方向に垂直な方向には凹凸湾曲は無いので、第一コンベア２に供給されたときの列内で表裏選別と表裏姿勢の矯正が行われるように構成されている。
【００１７】
第一コンベア２はベルトを平らに張った一般的なベルトコンベアであれば特に制限はなく、その始端部上方に不図示の菓子１供給装置を備え、表裏混在した状態で菓子１が多列供給される。
【００１８】
表面が柔軟なロール３は円柱状であり、第一コンベア後端部駆動ロール２’と狭い隙間を形成するか、あるいはベルトを介して接触するように構成されている。菓子１の厚みや形状に応じて当該狭い隙間を調整することによって、菓子１の多様な形状に対して表裏選別が可能となる。また、表面が柔軟なロール３の表面材質としては、例えばスポンジ、ウレタンフォーム等が挙げられる。さらに表面が柔軟なロール３は第一コンベア後端部駆動ロール２’の斜め上方に配置されてもよい。
【００１９】
第一コンベア後端部駆動ロール２’の回転軸と、表面が柔軟なロール３の回転軸は水平に、かつ、平行に配置されていることが好ましい。
【００２０】
第一シュート５は第一コンベア２の後端部と第三コンベア７の前方上部を滑らかに結び、シュートの下端部が徐々に勾配をゆるくして、第三コンベア７上面のベルトに近接した位置まで延びているので、菓子１が第三コンベア７に載り移るときに極力衝撃を与えないようになっている。
【００２１】
第二コンベア４はベルトを平らに張った一般的なベルトコンベアであれば特に制限はなく、第二コンベア４は第一コンベア後端部駆動ロール２’に近接している。
【００２２】
第一コンベア後端部駆動ロール２’および第一シュート５と第二コンベア４との隙間の最も狭い間隔は、選別される菓子１の厚みよりも広いが、菓子１が安定して第二コンベア４に移載されるように構成されている。
【００２３】
第二シュート６は第二コンベア４後端部を取り巻くように湾曲して第三コンベア７の上部を滑らかに結び、シュートの下端部が徐々に勾配をゆるくして、第三コンベア７上面のベルトに、菓子１の厚みよりも広い間隔を残して近接した位置まで延びているので、第二コンベア４の後端部から第二シュート６に載り移るところで滑らかに表裏反転が起こり、菓子１が第三コンベア７に載り移るときに極力衝撃を与えないようになっている。
【００２４】
第三コンベア７はベルトを平らに張った一般的なベルトコンベアであれば特に制限はない。
【００２５】
第一コンベア２、第二コンベア４、第一シュート５、第二シュート６、表面が柔軟なロール３は、協働して菓子１の表裏矯正を行い、第三コンベア７上に表裏姿勢を統一して移載するが、各コンベアの速度、長さ、および各シュートの形状の調整によって、第一コンベア２上を流れてきた順番を乱さずに第三コンベア７に移載可能になっている。
【００２６】
次に図２の選別作用説明図を参照して、本発明の実施の形態に係る表裏矯正装置の選別作用について説明する。
【００２７】
前述のように表面が柔軟なロール３は、第一コンベア後端部駆動ロール２’と狭い隙間を形成するか、あるいは接触して第一コンベア２と逆方向に回転している。また本発明の表裏矯正装置によって表裏矯正可能な菓子１は前述のように表面が曲面であり、裏面が平面である。さらに第一コンベア後端部駆動ロール２’のロール径は菓子１の直径に比して充分に大きくなっている。
【００２８】
第一コンベア２上を流れてきた菓子１は両ロールに巻き込まれる。その際表面が柔軟なロール３は菓子１の形状に応じて表面が伸縮するが、第一コンベア後端部駆動ロール２’は伸縮しないので、両ロールからの出口において第一コンベア後端部駆動ロール２’表面のベルトと菓子１との接点におけるそれぞれの接平面がほぼ一致するようになっている。したがって、菓子１の平面（裏面）と第一コンベア後端部駆動ロール２’表面のベルトが接する場合は菓子１は斜め下方に排出され、第一シュート５へ導かれる。一方菓子１の曲面（表面）と第一コンベア後端部駆動ロール２’表面のベルトが接する場合は菓子１はほぼ水平方向に排出され、第二コンベア４に移載される。
【００２９】
さらに図３の選別原理説明図を参照して、本発明の実施の形態に係る表裏矯正装置の選別原理についてより詳細に説明する。なお、第一コンベア後端部駆動ロール２’と表面が柔軟なロール３の回転方向は図に矢印で示した。
【００３０】
菓子１に対して第一コンベア後端部駆動ロール２’が充分に大きければ、菓子１の端部を第一コンベア後端部駆動ロール２’に向かって押した場合、平らな面を下にした菓子１はほとんど変化がないが、平らな面を上にした菓子１は押した端部と反対側が持ち上げられる。この菓子１の端部を第一コンベア後端部駆動ロール２’に向かって押すという動作が表面が柔軟なロール３によって行われた結果、菓子１の傾きに違いが出るのを利用して表裏選別が行われる。
【００３１】
なお本発明において菓子１としては、ビスケット類、パン類、もち類ならびにこれらの加工品などが挙げられ、菓子１の形状としては、片方の面がその中心部または周辺部から外周に向かって厚みを薄くした形状を備えており、もう一方の面がほぼ平面状のものであれば、球面状外周を有するものだけでなく、例えば動植物を模した形状なども可能である。
【００３２】
【実施例】
図１の正面図を参照して、本発明の具体的な実施例について説明する。図１において、ビスケット１を横方向多列に順送する第一コンベア２と；第一コンベア２の後端部に近接して配置され、第一コンベア２と協働して第一コンベア２上を流れてきたビスケット１を表裏選別する、第一コンベア２と逆方向に回転するスポンジロール３と；第一コンベア２とスポンジロール３によって表裏選別され、平らな面を上にした（裏向いた）ビスケット１を順送する第二コンベア４と；第二コンベア４の後端部を取り巻くように配置され、ビスケット１を反転させながら下方へ導く凹湾曲面を有する第二シュート６と；第一コンベア２の後端部に近接して配置され、第一コンベア２とスポンジロール３によって表裏選別されて平らな面を下にした（表向いた）ビスケット１を下方へ導く第一シュート５と；第一コンベア２とスポンジロール３によって表裏選別されたビスケット１が、第一シュート５または第二シュート６を経て再合流して順送される第三コンベア７から構成されている表裏矯正装置を設定した。
【００３３】
第一コンベア２、第二コンベア４、第三コンベア７、第一シュート５、第二シュート６、スポンジロール３はいずれも、ビスケット１の順送方向に垂直な方向の幅が同一にしてあり、また、ビスケット１の順送方向に垂直な方向には凹凸湾曲は無いので、第一コンベア２に供給されたときの列内で表裏選別と表裏姿勢の矯正が行われるように構成した。
【００３４】
第一コンベア２はその始端部上方に不図示のビスケット１供給装置を備え、表裏混在した状態でビスケット１が供給されるようにした。
【００３５】
ビスケット１としては、直径６ｃｍ、厚みが６ｍｍの円盤状で、片面は平面、もう一方の面の円周部が凸曲面を有して円周に向かって厚みを薄くした一般的なハードビスケット１を用いた。
【００３６】
スポンジロール３は、その表面が第一コンベア後端部駆動ロール２’とベルトを介して接するように配置した。
【００３７】
第一コンベア後端部駆動ロール２’の回転軸と、スポンジロール３の回転軸は水平に、かつ、平行に配置し、第一コンベア後端部駆動ロール２’の回転軸と、スポンジロール３の回転軸がともに含まれる平面が鉛直方向から４５゜傾いているようにした。
【００３８】
第一シュート５は第一コンベア２の後端部と第三コンベア７の前方上部を滑らかに結び、シュートの下端部が徐々に勾配をゆるくして、第三コンベア７上面のベルトに近接した位置まで延びているように形成した。
【００３９】
第二シュート６は第二コンベア４後端部を取り巻くように湾曲して第三コンベア７の前方上部を滑らかに結び、シュートの下端部が徐々に勾配をゆるくして、第三コンベア７上面のベルトに、ビスケット１の厚みよりも広い間隔１０ｍｍを残して近接した位置まで延びているように形成した。
【００４０】
以上のビスケット１の表裏矯正装置を駆動し、第一コンベア２にビスケット１を表裏混在状態で供給した。第一コンベア２上を流れてきたビスケット１は両ロールの間に巻き込まれた。その際スポンジロール３はビスケット１の形状に応じて表面が伸縮したが、第一コンベア後端部駆動ロール２’は伸縮しなかったので、両ロール間からの出口において第一コンベア後端部駆動ロール２’表面のベルトとビスケット１との接点における、ベルトとビスケット１の接平面がほぼ一致するようになり、ビスケット１の平面（裏面）と第一コンベア後端部駆動ロール２’がベルトを介して接する場合はビスケット１は斜め下方に排出された。一方ビスケット１の曲面（表面）と第一コンベア後端部駆動ロール２’がベルトを介して接する場合はビスケット１はほぼ水平方向に排出された。排出されたビスケット１は、第一シュート５または第二シュート６を経て第三コンベア７に移載された。
【００４１】
本実施例の表裏矯正装置および表裏矯正方法によって、第一コンベア２、第二コンベア４、第一シュート５、第二シュート６、スポンジロール３は、協働してビスケット１の表裏矯正を行い、第三コンベア７上にビスケット１をすべて表向きに移載することを確認した。ビスケット１は、第一コンベア２上を流れてきた順番通りに、しかも傷つくことなく第三コンベア７に移載されることを確認した。
【００４２】
本発明は上記実施例に限定されることなく、特許請求の範囲に記載した発明の範囲内で、種々の変形が可能であり、それらも本発明の範囲内に含まれるものであることはいうまでもない。
【００４３】
【本発明の効果】
以上のように本発明によれば、菓子にわずかな衝撃しか与えずに表裏矯正する方法および矯正装置を提供することができるので、例えば菓子の破損による不良品の発生を減少させる等の効果がある。本表裏矯正方法および矯正装置は菓子の形状に対する適応範囲が広いので、いろいろな菓子に応用可能である。
【図面の簡単な説明】
【図１】本発明の実施の形態に係る菓子の表裏矯正装置の正面図である。
【図２】本発明の実施の形態に係る菓子の表裏矯正装置の選別作用説明図である。
【図３】本発明の実施の形態に係る菓子の表裏矯正装置の選別原理説明図である。
【符号の説明】
１    菓子
２    第一コンベア
２’    第一コンベア後端部駆動ロール
３    表面が柔軟なロール
４    第二コンベア
５    第一シュート
６    第二シュート
７    第三コンベア
【図１】
2004350560.tif 000003
【図２】
2004350560.tif 000004
【図３】
2004350560.tif 000005